(57)【特許請求の範囲】
【請求項１】
（ａ）真核細胞を含む細胞試料を準備する工程と、
（ｂ）前記工程（ａ）の後、遺伝子異常細胞の細胞表面抗原と特異的に結合する１種類若しくは２種類以上の抗体、及び／又は非遺伝子異常細胞の細胞表面抗原と特異的に結合する１種類若しくは２種類以上の抗体を用いて、前記細胞試料に含まれている細胞に対して抗原抗体反応を行う工程と、
（ｃ）前記工程（ｂ）の後、前記細胞試料に含まれている細胞に対して、浸透化処理を行う工程と、
（ｄ）前記工程（ｂ）の後、前記細胞試料に含まれている細胞に対して、固定化処理を行う工程と、
（ｅ）前記工程（ｄ）の後、前記細胞試料に含まれている細胞に対して、１種類又は２種類以上の核酸プローブを用いて、ＦＩＳＨ（蛍光  ｉｎ  ｓｉｔｕ  ハイブリダイゼーション）を行う工程と、
（ｆ）前記工程（ｅ）の後、前記細胞試料に含まれている細胞中の前記核酸プローブからの蛍光シグナルを、前記工程（ｂ）において前記遺伝子異常細胞の細胞表面抗原と特異的に結合する抗体と結合した細胞又は前記非遺伝子異常細胞の細胞表面抗原と特異的に結合する抗体と結合しなかった細胞に対して優先的に、三次元画像解析法を用いて解析する工程と、
（ｇ）前記工程（ｆ）の結果から、前記細胞試料に含まれている細胞が、遺伝子異常細胞であるか否かを判別する工程と、
を有することを特徴とする遺伝子異常細胞の解析方法。
【請求項２】
前記浸透化処理が、界面活性剤溶液への浸漬処理後、タンパク質分解酵素による酵素反応処理を行うことを特徴とする請求項１に記載の遺伝子異常細胞の解析方法。
【請求項３】
さらに、前記工程（ｂ）の前に、
（ｈ）解析対象である遺伝子異常細胞以外の細胞の細胞表面に存在する分子と特異的に結合する抗体を用いて、前記工程（ａ）において準備された細胞試料から、当該抗体と結合する細胞を除去する工程と、
を有し、前記工程（ｂ）を、前記工程（ｈ）によって一部の細胞が除去された残りの細胞に対して抗原抗体反応を行う工程であることを特徴とする請求項１又は２に記載の遺伝子異常細胞の解析方法。
【請求項４】
前記工程（ｇ）の前に、さらに、
（ｉ）前記工程（ｃ）の後、前記細胞試料に含まれている細胞に対して、真核細胞の細胞内部に存在する分子と特異的に結合する１種類又は２種類以上の抗体を用いて抗原抗体反応を行う工程と、
を有することを特徴とする請求項１〜３のいずれか一項に記載の遺伝子異常細胞の解析方法。
【請求項５】
前記核酸プローブが、癌遺伝子のＤＮＡと特異的に結合する核酸プローブであることを特徴とする請求項１〜４のいずれか一項に記載の遺伝子異常細胞の解析方法。
【請求項６】
前記細胞試料が、体液、体液から分離された細胞を含む試料、又は、生体から採取された組織片から分離された細胞を含む試料であることを特徴とする請求項１〜５のいずれか一項に記載の遺伝子異常細胞の解析方法。
【請求項７】
前記細胞試料が、血液、又は血液から分離された細胞を含む試料であることを特徴とする請求項１〜５のいずれか一項に記載の遺伝子異常細胞の解析方法。
【請求項８】
前記細胞試料が、血液、又は血液から分離された細胞を含む試料であり、かつ
前記核酸プローブが、Ｈｅｒ−２遺伝子のＤＮＡと特異的に結合する核酸プローブ、及びＣＥＰ１７遺伝子のＤＮＡと特異的に結合する核酸プローブであることを特徴とする請求項１〜５のいずれか一項に記載の遺伝子異常細胞の解析方法。
【請求項９】
前記細胞試料が、血液、又は血液から分離された細胞を含む試料であり、
前記工程（ｈ）において用いられる抗体が、白血球細胞の細胞表面に特異的に存在している分子と特異的に結合する抗体であり、かつ
前記核酸プローブが、Ｈｅｒ−２遺伝子のＤＮＡと特異的に結合する核酸プローブ、及びＣＥＰ１７遺伝子のＤＮＡと特異的に結合する核酸プローブであることを特徴とする請求項３〜５のいずれか一項に記載の遺伝子異常細胞の解析方法。
【請求項１０】
前記細胞試料が、血液、又は血液から分離された細胞を含む試料であり、
前記工程（ｂ）において用いられる抗体が、白血球細胞の細胞表面に特異的に存在している分子と特異的に結合する抗体であり、
前記工程（ｈ）において用いられる抗体が、白血球細胞の細胞表面に特異的に存在している分子と特異的に結合する抗体であり、
前記工程（ｈ）において用いられる抗体が、Ｃｙｔｏｋｅｒａｔｉｎ、ＣＤ４５、ＨＥＲ−２、及びＥｐＣＡＭからなる群より選択される１種以上のタンパク質と特異的に結合する抗体であり、かつ
前記核酸プローブが、Ｈｅｒ−２遺伝子のＤＮＡと特異的に結合する核酸プローブ、及びＣＥＰ１７遺伝子のＤＮＡと特異的に結合する核酸プローブであることを特徴とする請求項４又は５に記載の遺伝子異常細胞の解析方法。
【請求項１１】
前記界面活性剤溶液がｔｒｉｔｏｎ  Ｘ−１００であり、前記タンパク質分解酵素がペプシンであることを特徴とする請求項２〜１０のいずれか一項に記載の遺伝子異常細胞の解析方法。
【発明の詳細な説明】
【技術分野】
【０００１】
本発明は、蛍光ｉｎ  ｓｉｔｕハイブリダイゼーション（ｆｌｕｏｒｅｓｃｅｎｃｅ  ｉｎ  ｓｉｔｕ  ｈｙｂｒｉｄｉｚａｔｉｏｎ；ＦＩＳＨ）を用いて、遺伝子異常が起こっている細胞を検出し解析する方法に関する。
【背景技術】
【０００２】
近年、分子標的薬の開発が盛んである。特に、癌治療において、癌の発生や増殖に関係しているある特定の分子に対して作用する分子標的薬を用いることにより、従来の抗癌剤よりも副作用が低減されることが期待できる。但し、分子標的薬は生体内の特定の分子に対して作用するため、患者の遺伝子型によっては、投薬により充分な治療効果が期待できない場合もある。このため、遺伝子変異の解析は、分子標的薬の治療効果予測のために、ますます重要になっている。
【０００３】
例えば、乳癌や卵巣癌、胃癌等の多くの癌において、Ｈｅｒ−２遺伝子が増幅されており、ＨＥＲ−２タンパク質が過剰に発現している。中でも、乳癌では、ＨＥＲ−２タンパク質が過剰発現している場合に、予後が不良である場合が多いと言われている。また、ＨＥＲ−２を標的とする抗体医薬（ＨＥＲ−２に対するヒト化モノクローナル抗体）は、このようなＨＥＲ−２陽性乳癌に対して有効であるが、ＨＥＲ−２タンパク質の過剰発現がみられないＨＥＲ−２陰性乳癌に対しては治療効果が期待できない。このため、ＨＥＲ−２を標的とする抗体医薬の適応の有無や、臨床経過の予測等のために、Ｈｅｒ−２遺伝子の増幅の有無を解析することが重要である。
【０００４】
Ｈｅｒ−２遺伝子の増幅は、一般的に、ＦＩＳＨにより解析されている。具体的には、Ｈｅｒ−２遺伝子のＤＮＡと結合する核酸プローブ（Ｈｅｒ−２プローブ）と１７番染色体のセントロメアＤＮＡ（ＣＥＰ１７）と結合する核酸プローブ（ＣＥＰ１７プローブ）とをそれぞれ異なる蛍光物質により標識し、これらの２種類の蛍光標識された核酸プローブを用いてＦＩＳＨを行う。Ｈｅｒ−２シグナル総数／ＣＥＰ１７シグナル総数比（Ｈｅｒ−２／ＣＥＰ１７比）が所定の値（例えば２．０）以上である場合に、Ｈｅｒ−２遺伝子増幅陽性（Ｈｅｒ−２遺伝子が増幅されている）であり、当該所定の値未満の場合に、Ｈｅｒ−２遺伝子増幅陰性と判断される。
【０００５】
また、腫瘍細胞は、血液やリンパ球の流れにのって全身に循環し、転移する。よって、血液中に存在する腫瘍細胞（末梢循環腫瘍細胞；ＣＴＣ）を検出し、解析することにより、腫瘍の進行度や転移性を検査したり、予後を予測することができる。しかしながら、血液中には大量の白血球が存在しており、ＣＴＣの存在比率は小さい。さらに、組織切片等とは異なり、組織構造が保存されていないため、形態からＣＴＣか否かを判別することは困難である。そこで、通常、上皮系細胞や腫瘍細胞の細胞表面に特異的に存在している分子に対する抗体を利用して、血球細胞から上皮系細胞や腫瘍細胞を分離して回収した後に、遺伝子解析や発現解析等を行い、遺伝子異常の有無を検出することにより、腫瘍細胞を解析している。
【０００６】
例えば、乳癌のＣＴＣ解析では、血液中の単核球から、上皮系細胞の細胞表面抗原であるＥｐＣＡＭに対する抗体を用いてＥｐＣＡＭ陽性細胞を回収し、この回収されたＥｐＣＡＭ陽性細胞に対して、Ｈｅｒ−２プローブとＣＥＰ１７プローブを用いてＦＩＳＨを行い、Ｈｅｒ−２／ＣＥＰ１７比を測定することにより、Ｈｅｒ−２遺伝子増幅陽性細胞か否かを解析する方法が行われている（例えば、非特許文献１参照。）。
【０００７】
ＣＴＣを解析する方法としては、その他、細胞表面抗原が蛍光染色された浮遊細胞を、蛍光インサイチューハイブリダイゼーション法に供し、次いで細胞の核にピントを合わせて核を蛍光顕微鏡で観察する方法（例えば、特許文献１参照。）がある。また、細胞に、細胞表面抗原等の染色体以外の生体成分に対して特異的に結合し、かつ蛍光顕微鏡では検出不能な反応複合体を有している抗体を結合させた後、当該細胞に対してＦＩＳＨを行い、その後、前記反応複合体と反応する蛍光標識物質を当該細胞に結合させる方法もある（例えば、特許文献２参照。）。一の細胞に対して、蛍光免疫染色及びＦＩＳＨを行うことにより、両者を別個に行う場合よりも、一の検体の必要量を少なくすることができる。
【先行技術文献】
【特許文献】
【０００８】
【特許文献１】特開２００７−１７８１９３号公報
【特許文献２】特表２００９−５３０６２１号公報
【非特許文献】
【０００９】
【非特許文献１】フローレス（Flores）、他８名、ブリティッシュ・ジャーナル・オブ・キャンサー（British Journal of Cancer）、２０１０年、第１０２巻、第１０号、第１４９５〜１５０２ページ。
【発明の概要】
【発明が解決しようとする課題】
【００１０】
従来のＣＴＣの解析において行われているような、上皮系細胞や腫瘍細胞の細胞表面に特異的に存在している分子をマーカーとして回収された細胞を解析する方法では、マーカーとした分子が発現していないＣＴＣは検出対象外となってしまう、という問題がある。例えば上記の乳癌のＣＴＣ解析方法では、ＥｐＣＡＭ陰性であるＣＴＣは検出することができない。
【００１１】
当該問題を解決するために、逆に血球細胞表面に特異的に存在している分子をマーカーとし、当該マーカーが発現している細胞を検体から除去した後、残りの細胞群に対して解析を行う方法が考えられる。これにより、特定のマーカーが陰性であるＣＴＣを検出対象から除外してしまうリスクを抑えることができる。しかしながら、通常は血球細胞を完全に取り除くことはできず、回収された細胞群中には、未だ多くの血球細胞が混入することになり、このような方法によっては、極微量にしか存在していないＣＴＣを検出することは非常に困難である。
【００１２】
一方で、特許文献１に記載されている方法のように、検体中の全ての細胞に対して、細胞表面抗原に対する蛍光免疫染色及びＦＩＳＨを行う方法では、検体中から細胞を分別することなく、検体中に含まれている全てのＣＴＣを解析対象にすることができる。さらに、蛍光免疫染色によって特定の細胞表面抗原が存在していることが確認された細胞の遺伝子をＦＩＳＨにより解析することができるため、解析精度の向上が期待できる。特に、特許文献１に記載の方法では、蛍光免疫染色とＦＩＳＨを行った後の細胞を蛍光顕微鏡下で観察する際に、細胞の核にピントを合わせることにより、蛍光免疫染色に用いた蛍光色素による妨害を受けることなく、ＦＩＳＨの蛍光シグナルを検出することができる。
【００１３】
しかしながら、特許文献１に記載されている方法では、蛍光顕微鏡下で、１つ１つの細胞に対して、観察者が焦点を核に合わせて観察している。つまり、観察者が手動で蛍光顕微鏡を操作しなければならず、観察対象の細胞数が多くなるほど、多大な労力を要する。また、細胞中の特定の位置に焦点を合わせて得られた二次元画像に基づいて解析する場合には、例えば、顕微鏡の焦点方向の高さは異なるが、焦点面（二次元画像の平面）では同じ位置に存在する複数のシグナル（すなわち、三次元的に重なる位置に存在する複数のシグナル）は、互いに重なって１の輝点として検出されてしまい、精度が不十分となる場合がある。特に、落射観察では、細胞表面抗原に対する蛍光免疫染色とＦＩＳＨの蛍光シグナルとが重なった画像になり、さらに核染色を併用した場合には、これらに加えてさらに核染色のシグナルも重なった画像になるため、２Ｄ画像から正確に解析することは非常に難しい。一方で、共焦点光学系を用いた場合には共焦点面で観察するため、画像の重なりがなく、落射観察の場合よりも非常に明瞭な画像が得られる。しかしながら、特許文献１に記載の方法では、焦点を核が最も明瞭に観察される位置に定め、当該焦点面で核内に明瞭に観察される輝点がＦＩＳＨのシグナルであり、ピンボケしている輝点は蛍光免疫染色によるシグナルである、と判別している。つまり、焦点位置の設定からシグナルの判別までが観察者に委ねられているため、観察者ごとのばらつきがでるおそれがある。
【００１４】
本発明は、ＦＩＳＨを用いて、遺伝子異常が起こっている細胞を、高精度かつ簡便に検出し解析するための方法を提供することを目的とする。
【課題を解決するための手段】
【００１５】
本発明者らは、上記課題を解決すべく鋭意研究した結果、細胞表面抗原に対する免疫染色とＦＩＳＨとを同一の細胞群に対して行い、当該細胞群からの蛍光シグナルの解析を、３画像解析法を用いて行うことによって、検体試料中に極微量にしか存在していない場合であっても、遺伝子異常を起こしている細胞を高精度かつ簡便に検出し得ることを見出し、本発明を完成させた。
【００１６】
すなわち、本発明は、
（１）  （ａ）真核細胞を含む細胞試料を準備する工程と、
（ｂ）前記工程（ａ）の後、遺伝子異常細胞の細胞表面抗原と特異的に結合する１種類若しくは２種類以上の抗体、及び／又は非遺伝子異常細胞の細胞表面抗原と特異的に結合する１種類若しくは２種類以上の抗体を用いて、前記細胞試料に含まれている細胞に対して抗原抗体反応を行う工程と、
（ｃ）前記工程（ｂ）の後、前記細胞試料に含まれている細胞に対して、浸透化処理を行う工程と、
（ｄ）前記工程（ｂ）の後、前記細胞試料に含まれている細胞に対して、固定化処理を行う工程と、
（ｅ）前記工程（ｄ）の後、前記細胞試料に含まれている細胞に対して、１種類又は２種類以上の核酸プローブを用いて、ＦＩＳＨ（蛍光  ｉｎ  ｓｉｔｕ  ハイブリダイゼーション）を行う工程と、
（ｆ）前記工程（ｅ）の後、前記細胞試料に含まれている細胞中の前記核酸プローブからの蛍光シグナルを、前記工程（ｂ）において前記遺伝子異常細胞の細胞表面抗原と特異的に結合する抗体と結合した細胞又は前記非遺伝子異常細胞の細胞表面抗原と特異的に結合する抗体と結合しなかった細胞に対して優先的に、三次元画像解析法を用いて解析する工程と、
（ｇ）前記工程（ｆ）の結果から、前記細胞試料に含まれている細胞が、遺伝子異常細胞であるか否かを判別する工程と、
を有することを特徴とする遺伝子異常細胞の解析方法、
（２）  前記浸透化処理が、界面活性剤溶液への浸漬処理後、タンパク質分解酵素による酵素反応処理を行うことを特徴とする前記（１）に記載の遺伝子異常細胞の解析方法、
（３）  さらに、前記工程（ｂ）の前に、
（ｈ）解析対象である遺伝子異常細胞以外の細胞の細胞表面に存在する分子と特異的に結合する抗体を用いて、前記工程（ａ）において準備された細胞試料から、当該抗体と結合する細胞を除去する工程と、
を有し、前記工程（ｂ）を、前記工程（ｈ）によって一部の細胞が除去された残りの細胞に対して抗原抗体反応を行う工程であることを特徴とする前記（１）又は（２）に記載の遺伝子異常細胞の解析方法、
（４）  前記工程（ｇ）の前に、さらに、
（ｉ）前記工程（ｃ）の後、前記細胞試料に含まれている細胞に対して、真核細胞の細胞内部に存在する分子と特異的に結合する１種類又は２種類以上の抗体を用いて抗原抗体反応を行う工程と、
を有することを特徴とする前記（１）〜（３）のいずれか一つに記載の遺伝子異常細胞の解析方法、
（５）  前記核酸プローブが、癌遺伝子のＤＮＡと特異的に結合する核酸プローブであることを特徴とする前記（１）〜（４）のいずれか一つに記載の遺伝子異常細胞の解析方法、
（６）  前記細胞試料が、体液、体液から分離された細胞を含む試料、又は、生体から採取された組織片から分離された細胞を含む試料であることを特徴とする前記（１）〜（５）のいずれか一つに記載の遺伝子異常細胞の解析方法、
（７）  前記細胞試料が、血液、又は血液から分離された細胞を含む試料であることを特徴とする前記（１）〜（５）のいずれか一つに記載の遺伝子異常細胞の解析方法、
（８）  前記細胞試料が、血液、又は血液から分離された細胞を含む試料であり、かつ
前記核酸プローブが、Ｈｅｒ−２遺伝子のＤＮＡと特異的に結合する核酸プローブ、及びＣＥＰ１７遺伝子のＤＮＡと特異的に結合する核酸プローブであることを特徴とする前記（１）〜（５）のいずれか一つに記載の遺伝子異常細胞の解析方法、
（９）  前記細胞試料が、血液、又は血液から分離された細胞を含む試料であり、
前記工程（ｈ）において用いられる抗体が、白血球細胞の細胞表面に特異的に存在している分子と特異的に結合する抗体であり、かつ
前記核酸プローブが、Ｈｅｒ−２遺伝子のＤＮＡと特異的に結合する核酸プローブ、及びＣＥＰ１７遺伝子のＤＮＡと特異的に結合する核酸プローブであることを特徴とする前記（３）〜（５）のいずれか一項に記載の遺伝子異常細胞の解析方法、
（１０）  前記細胞試料が、血液、又は血液から分離された細胞を含む試料であり、
前記工程（ｂ）において用いられる抗体が、白血球細胞の細胞表面に特異的に存在している分子と特異的に結合する抗体であり、
前記工程（ｈ）において用いられる抗体が、白血球細胞の細胞表面に特異的に存在している分子と特異的に結合する抗体であり、
前記工程（ｉ）において用いられる抗体が、Ｃｙｔｏｋｅｒａｔｉｎ、ＣＤ４５、ＨＥＲ−２、及びＥｐＣＡＭからなる群より選択される１種以上のタンパク質と特異的に結合する抗体であり、かつ
前記核酸プローブが、Ｈｅｒ−２遺伝子のＤＮＡと特異的に結合する核酸プローブ、及びＣＥＰ１７遺伝子のＤＮＡと特異的に結合する核酸プローブであることを特徴とする前記（４）又は（５）に記載の遺伝子異常細胞の解析方法、
（１１）  前記界面活性剤溶液がｔｒｉｔｏｎ  Ｘ−１００であり、前記タンパク質分解酵素がペプシンであることを特徴とする前記（２）〜（１０）のいずれか一つに記載の遺伝子異常細胞の解析方法、
を提供するものである。
【発明の効果】
【００１７】
本発明の遺伝子異常細胞の解析方法により、遺伝子異常を起こしている細胞を高精度かつ簡便に検出し、解析することができる。本発明の遺伝子異常細胞の解析方法は、特に、ＣＴＣ等の検体試料中に極微量にしか存在していない遺伝子異常細胞の解析に好適である。
【図面の簡単な説明】
【００１８】
【図１】実施例１において、Ｃｙｔｏｋｅｒａｔｉｎ陽性細胞を含む一視野について再構築された三次元画像より作成した二次元画像を示す。
【図２】実施例１において、Ｃｙｔｏｋｅｒａｔｉｎ陽性細胞を含む一視野について再構築された三次元画像より作成した二次元画像を示す。
【図３】実施例１において、ある一視野について再構築された三次元画像より作成した二次元画像を示す。
【図４】実施例２において、Ｃｙｔｏｋｅｒａｔｉｎ陽性細胞を含む一視野について再構築された三次元画像より作成した二次元画像を示す。
【図５】実施例３において、Ｃｙｔｏｋｅｒａｔｉｎ陽性細胞を含む一視野について再構築された三次元画像より作成した二次元画像を示す。
【図６】参考例１において、Ｃｙｔｏｋｅｒａｔｉｎ陽性細胞を含む一視野のより作成した二次元画像を示す。
【発明を実施するための形態】
【００１９】
本発明の遺伝子異常細胞の解析方法は、同一の細胞に対して、細胞表面抗原に対する免疫染色と、ＦＩＳＨとを行うことを特徴とする。ＦＩＳＨの蛍光シグナルは、一般的な免疫染色よりも小さいため、多数の細胞の中からＦＩＳＨの蛍光シグナルのみに基づいて遺伝子異常細胞を検出することは困難である場合が多い。本発明においては、細胞表面抗原に対する免疫染色を行い、細胞試料中に含まれている多数の細胞のうち、遺伝子異常細胞である可能性の高い細胞と、解析対象である特定の遺伝子異常が起こっていない細胞とを識別し、遺伝子異常細胞が含まれている可能性のある細胞群の細胞のＦＩＳＨの蛍光シグナルを優先的に解析することによって、効率よく遺伝子異常細胞を検出することができる。さらに、細胞群の識別のために、細胞表面抗原に対して免疫染色を行うが、蛍光免疫染色及びＦＩＳＨ後の細胞からのＦＩＳＨのシグナルを、三次元画像解析法を用いて解析することにより、細胞表面の免疫染色像と、細胞核内のＦＩＳＨの蛍光シグナルとを明確にかつ簡便に区別することができる。
【００２０】
本発明の遺伝子異常細胞の解析方法において解析対象とされる遺伝子異常は、先天的なものであってもよく、体細胞変異等の後天的なものであってもよい。
また、本発明の遺伝子異常細胞の解析方法において解析対象とされる遺伝子異常細胞は、遺伝子異常が起こっている細胞であれば特に限定されるものではないが、腫瘍細胞において多く観察される遺伝子異常が起こっている細胞であることが好ましい。このような遺伝子異常細胞としては、例えば、Ｈｅｒ−２遺伝子の遺伝子増幅が起こっている細胞や、フィラデルフィア染色体を有する細胞等が挙げられる。なお、フィラデルフィア染色体とは、慢性骨髄性白血病等において観察される遺伝子異常である。
【００２１】
本発明の遺伝子異常細胞の解析方法は、下記工程（ａ）〜（ｇ）を有することを特徴とする。
（ａ）真核細胞を含む細胞試料を準備する工程と、
（ｂ）前記工程（ａ）の後、真核細胞の細胞表面に存在する分子と特異的に結合する１種類又は２種類以上の抗体を用いて、前記細胞試料に含まれている細胞に対して抗原抗体反応を行う工程と、
（ｃ）前記工程（ｂ）の後、前記細胞試料に含まれている細胞に対して、浸透化処理を行う工程と、
（ｄ）前記工程（ｂ）の後、前記細胞試料に含まれている細胞に対して、固定化処理を行う工程と、
（ｅ）前記工程（ｄ）の後、前記細胞試料に含まれている細胞に対して、１種類又は２種類以上の核酸プローブを用いて、ＦＩＳＨを行う工程と、
（ｆ）前記工程（ｅ）の後、前記細胞試料に含まれている細胞中の前記核酸プローブからの蛍光シグナルを、三次元画像解析法を用いて解析する工程と、
（ｇ）前記工程（ｂ）の結果と前記工程（ｆ）の結果から、前記細胞試料に含まれている細胞が、遺伝子異常細胞であるか否かを判別する工程。
以下、工程ごとに説明する。
【００２２】
まず、工程（ａ）として、真核細胞を含む細胞試料を準備する。細胞試料としては、真核細胞が含まれているものであれば特に限定されるものではない。細胞試料としては、例えば、生体試料や、生体試料から分離された細胞、生体試料から分離された細胞の培養物、及び養細胞の培養物等が挙げられる。生体試料としては、血液、リンパ液、骨髄液、腹水、滲出液、羊膜液、喀痰、唾液、精液、胆汁、膵液、尿等の体液、生体から採取された組織片、糞便、腸管洗浄液、肺洗浄液、気管支洗浄液、又は膀胱洗浄液等が挙げられる。また、生体試料から分離された細胞としては、例えば、血液から分離回収された単核球成分（バッフィーコート）、リンパ液等から分離回収された細胞成分、組織片の結合組織を分解して細胞をばらばらにした溶液、組織片をばらばらにした後に分離回収された細胞成分等が挙げられる。なお、組織片の生体からの採取方法は特に限定されず、バイオプシー検体、手術サンプル等が挙げられる。
【００２３】
本発明に供される細胞試料としては、体液、体液から分離された細胞を含む試料、又は、生体から採取された組織片から分離された細胞を含む試料であることが好ましく、体液又は体液から分離された細胞を含む試料であることがより好ましく、血液、リンパ液、又はこれらから分離された細胞であることがさらに好ましく、単核球成分であることが特に好ましい。なお、単核球成分の調製は、遠心分離法等の常法により行うことができる。
【００２４】
細胞試料は、そのまま次の工程（ｂ）に供されてもよく、当該細胞試料中に含まれる正常細胞等のような、解析対象である特定の遺伝子異常が起こっていない細胞（非遺伝子異常細胞）の少なくとも一部を除去した後に工程（ｂ）に用いてもよい。細胞試料から非遺伝子異常細胞を除去することにより、その後の工程に供する細胞試料中の遺伝子異常細胞の存在比率をより高めることができ、遺伝子異常細胞の検出感度を高めることができる。
【００２５】
非遺伝子異常細胞の除去は、具体的には、解析対象である非遺伝子異常細胞の細胞表面に存在する分子と特異的に結合する抗体を用いて行うことができる。抗体を結合させた担体と細胞試料を接触させた後、細胞試料と担体とを分離することにより、当該抗体と結合する非遺伝子異常細胞の少なくとも一部を細胞試料から除去することができる。
【００２６】
細胞試料が血液や単核球成分であり、解析対象の遺伝子異常細胞がＣＴＣである場合、細胞試料から白血球等の血球成分の一部又は全部を除去しておくことが好ましい。具体的には、血液や単核球成分に、白血球、血小板、赤血球、内皮細胞の細胞表面に存在する分子を抗原とする抗体を磁性ビーズやアガロースゲル等の担体に結合させた抗体付き担体を添加して混合する。その後、当該担体を除去した後の液体成分を以下の工程（ｂ）に用いる。細胞表面に存在する抗原としては、例えば、白血球表面に存在するＣＤ４５、血小板表面に存在するＣＤ６１、赤血球表面に存在するＣＤ２３５ａ、及び内皮細胞表面に存在するＣＤ３１等が挙げられる。
【００２７】
細胞試料中の遺伝子異常細胞の存在比率を高める手法としては、その他に、遺伝子異常細胞の表面抗原に対する抗体を用いて、細胞試料から遺伝子異常細胞を分離回収する方法もある。しかしながら、細胞表面抗原に対する抗体を用いて、特定の細胞群を分離回収する場合には、用いた抗体と結合する表面抗原を備えていない遺伝子異常細胞は、回収することができず、解析することができない。そこで、本発明では、遺伝子異常細胞の存在比率高めるために、細胞試料から非遺伝子異常細胞を分離除去することが好ましい。
【００２８】
次いで、工程（ｂ）として、真核細胞の細胞表面に存在する分子と特異的に結合する１種類又は２種類以上の抗体を用いて、前記細胞試料に含まれている細胞に対して抗原抗体反応を行う。抗原抗体反応の有無により、遺伝子異常細胞が含まれる細胞群か、遺伝子異常細胞が含まれない細胞群かを区別することができる。例えば、遺伝子異常細胞の細胞表面抗原に対する標識された抗体を用いて抗原抗体反応を行い、以後のＦＩＳＨにおいて、標識された抗体が結合すること（免疫染色）により染色された細胞の細胞核の蛍光シグナルを優先的に解析することによって、効率よく遺伝子異常細胞を検出し、解析することができる。逆に、非遺伝子異常細胞の細胞表面抗原に対する抗体を用いて抗原抗体反応を行うことにより、以後のＦＩＳＨにおいて、標識された抗体が結合せず、このために染色されなかった細胞の細胞核の蛍光シグナルを優先的に解析することにより、効率よく遺伝子異常細胞を検出し、解析することができる。
【００２９】
工程（ｂ）における抗原抗体反応は、細胞表面抗原と特異的に結合する抗体と細胞表面抗原とを結合させる反応である。すなわち、免疫染色法のうち、細胞表面抗原と特異的に結合する抗体に直接標識する直接法の場合には、免疫染色の全工程が工程（ｂ）に含まれる。一方で、細胞表面抗原と特異的に結合する抗体を一次抗体とし、この一次抗体を抗原とする二次抗体やストレプトアビジンを標識する間接法の場合には、一次抗体と細胞表面抗原とを結合させる反応工程のみが、工程（ｂ）に含まれる。間接法により細胞表面抗原を免疫染色する場合、細胞表面抗原に結合した一次抗体と標識された二次抗体やストレプトアビジンとの抗原抗体反応は、工程（ｆ）の前の任意の時点で行ってもよい。例えば、工程（ｂ）に連続して行ってもよく、工程（ｃ）と同時に行ってもよく、工程（ｄ）の後に行ってもよい。また、以降に細胞内の分子に対して免疫染色を行う場合には、それと同時に行ってもよい。
【００３０】
細胞表面抗原に結合させた抗体の検出は、蛍光物質や蛍光性半導体量子ドットにより抗体を標識する蛍光標識法により行ってもよく、ペルオキシダーゼ標識抗体やアルカリホスファターゼ標識抗体を使用するような酵素標識法により行ってもよい。本発明においては、検出感度が高く、かつＦＩＳＨの解析と同時に行うことも可能であるため、蛍光標識法を用いて行うことが好ましい。
【００３１】
本発明においては、細胞表面抗原と特異的に結合する抗体と細胞表面抗原との抗原抗体反応は、浸透化処理前の細胞に対して行う。すなわち、直接法の場合には免疫反応終了後に浸透化処理を行う。また、間接法の場合には、一次抗体と細胞との抗原抗体反応終了前には浸透化処理は行わない。細胞膜にダメージを与えない状態で細胞表面抗原と抗体との抗原抗体反応を行うことにより、浸透化処理をした後に行う場合とは異なり、細胞膜表面のみを染色することができる。つまり、細胞表面のみを染色することにより、ＦＩＳＨの蛍光シグナルと被らず、ＦＩＳＨのＳ／Ｎが改善される。
【００３２】
次いで、工程（ｃ）として、細胞試料に含まれている細胞に対して、浸透化処理を行う。浸透化処理により、細胞膜や核膜に穴を開け、ＦＩＳＨの核酸プローブが核内に浸透できるようにする。浸透化処理としては、界面活性剤溶液に細胞を浸漬させる処理や、タンパク質分解酵素による酵素反応処理等が挙げられる。界面活性剤としては、ＴｒｉｔｏｎＸ−１００やＴｗｅｅｎ  ２０、ＮＰ−４０、サポニン、ｄｉｇｉｔｏｎｉｎ等を用いることができる。タンパク質分解酵素としては、ペプシン、Ｐｒｏｔｅｉｎａｓｅ  Ｋ等の汎用されている酵素を用いることができる。
【００３３】
発明においては、浸透化処理として、界面活性剤溶液への浸漬処理後、タンパク質分解酵素による酵素反応処理を行うことが好ましい。例えば、解析対象がＣＴＣである場合、細胞を、０．１〜０．５％  ＴｒｉｔｏｎＸ−１００溶液で１〜３０分間、好ましくは０．１〜０．３％  ＴｒｉｔｏｎＸ−１００溶液で１０〜２０分間、より好ましくは０．２％  ＴｒｉｔｏｎＸ−１００溶液で室温１５分間浸漬させた後、ペプシン処理を室温で０．５〜１０分間、好ましくは０．５〜５分間、より好ましくは１〜２分間行うことにより、浸透化処理を行うことができる。その他、界面活性剤溶液への浸漬処理を行うことなく、細胞を、ペプシン処理等のタンパク質分解酵素による酵素反応処理を行うことによっても、浸透化処理を行うことができる。
【００３４】
なお、浸透化処理として界面活性剤溶液への浸漬処理とタンパク質分解酵素による酵素反応処理を行う場合、両処理は、細胞表面抗原と抗体との抗原抗体反応後、ＦＩＳＨ前に完了していればよく、両処理を連続して行ってもよく、不連続に行ってもよい。本発明においては、先に界面活性剤溶液への浸漬処理を行い、その後に後述の固定化処理を行った後に、タンパク質分解酵素による酵素反応処理を行うことが好ましい。
【００３５】
また、工程（ｂ）の後、工程（ｄ）として、抗原抗体反応後の細胞試料に含まれている細胞の固定化処理を行う。固定化処理により、細胞や結合した抗体の変性を抑制することができる。固定化処理液としては、例えば、ホルマリン、パラホルムアルデヒド、グルタールアルデヒド、メタノール、エタノール、アセトン等が挙げられる。固定化処理に用いる固定化処理液の種類や濃度、処理時間等の処理条件は、以降の工程において細胞や抗体を安定的に固定化することができ、かつ細胞の形態をあまり変化させないよう、細胞の種類や免疫染色の方法等を考慮して、適宜決定することができる。本発明においては、ホルマリンを固定化処理液として用いることが好ましい。
【００３６】
工程（ｂ）の後、工程（ｅ）の前に、細胞試料に含まれている細胞に対して、クロスリンク処理を行ってもよい。クロスリンク処理を行うことにより、細胞表面抗原と抗体とを安定して結合させておくことができる。なお、クロスリンク処理は、工程（ｃ）における浸透化処理や、工程（ｄ）における固定化処理の前に行ってもよく、浸透化処理や固定化処理の後に行ってもよい。
【００３７】
クロスリンク処理に用いるクロスリンカーとしては、ＤＳＳ（Ｄｉｓｕｃｃｉｎｉｍｉｄｙｌ  ｓｕｂｅｒａｔｅ）やＢＳ３（Ｂｉｓ−ｓｕｌｆｏｓｕｃｃｉｎｉｍｉｄｙｌ  ｓｕｂｅｒａｔｅ）等が挙げられる。用いるクロスリンカーの種類や濃度、処理時間等の処理条件は、細胞と免疫反応に用いた抗体とをクロスリンク可能であり、かつ以降のＦＩＳＨの蛍光シグナルを大幅に低減させないよう、細胞の種類や免疫染色の方法等を考慮して、適宜決定することができる。発明においては、解析対象がＣＴＣである場合、クロスリンク処理を行わないか、ＢＳ３処理を行うことが好ましく、クロスリンク処理を行わないことがより好ましい。
【００３８】
浸透化処理後、工程（ｅ）として、細胞試料に含まれている細胞に対して、１種類又は２種類以上の核酸プローブを用いて、ＦＩＳＨを行う。具体的には、細胞を、解析対象の染色体中のＤＮＡと結合可能な蛍光標識された核酸プローブを含む溶液に浸漬させる。「ＤＮＡと結合可能な核酸プローブ」は、ＤＮＡフラグメントとハイブリダイズ可能な核酸プローブを意味する。
【００３９】
本発明において用いられる核酸プローブとしては、遺伝子異常が起こっている細胞と正常細胞との識別に資する核酸プローブであればよく、例えば、解析対象である遺伝子異常が起こっている領域のＤＮＡと結合可能な核酸プローブであってもよく、当該遺伝子異常が起こっていない領域のＤＮＡと結合可能な核酸プローブであってもよい。本発明おいては、遺伝子異常が起こっている腫瘍細胞を解析することができるため、核酸プローブとして、癌遺伝子のＤＮＡと特異的に結合する核酸プローブを用いることが好ましい。
【００４０】
例えば、Ｈｅｒ−２遺伝子の遺伝子増幅の有無を解析するためには、Ｈｅｒ−２遺伝子と特異的に結合する核酸プローブとＣＥＰ１７のＤＮＡと特異的に結合する核酸プローブとを併用することが好ましい。この際、ある細胞のＨｅｒ−２／ＣＥＰ１７比が所定の値、例えば２．０以上、好ましくは２．２以上であった場合に、当該細胞は、Ｈｅｒ−２遺伝子が異常に増幅している遺伝子異常細胞である、と判断することができる。
【００４１】
また、フィラデルフィア染色体を解析するためには、ｃ−ａｂｌ遺伝子のＤＮＡと特異的に結合する核酸プローブとｂｃｒ遺伝子のＤＮＡと特異的に結合する核酸プローブとを併用することが好ましい。
【００４２】
次いで、工程（ｆ）として、前記細胞試料に含まれている細胞中の前記核酸プローブからの蛍光シグナルを、三次元画像解析法を用いて解析する。すなわち、本発明においては、ＦＩＳＨにおける蛍光シグナルは、三次元画像解析法を用いて解析する。三次元画像解析法とは、具体的には、焦点距離をずらして連続的に、細胞の各断面の二次元画像（断層画像）を撮影して取得し、これらを合成して三次元画像を再構築する。画像解析法を用いることにより、細胞を抽出・回収することなく、細胞試料中の多数の細胞の中から標識した細胞を簡便に検出することができる。また、二次元画像解析法では、焦点方向に重なりあう複数の蛍光シグナルを１の蛍光シグナルや免疫染色法による蛍光シグナルと誤認してしまうおそれがある。さらに、蛍光顕微鏡で観察した場合、このような誤認をさけるために、焦点距離をずらして細胞を観察する必要があり、多くの細胞を解析することは困難である。これに対して、三次元画像解析装置を用いて解析することにより、一度に多くの細胞を迅速かつ簡便に、精度よく解析することができる。
【００４３】
なお、ＦＩＳＨにおける蛍光シグナルは、例えば、共焦点光学系を備え、蛍光検出が可能な細胞画像解析装置を用いることによって検出し解析することができる。具体的には、ＣＣＤカメラ等の撮像手段を備えた共焦点蛍光顕微鏡等を用いることができる。また、特許文献１等に記載されているように二次元画像解析法により解析する場合には、観察者が焦点距離を徐々にずらしながら細胞を観察することにより、ＦＩＳＨのシグナルを検出しなくてはならず、観察者は長時間顕微鏡による観察を行う必要がある。これに対して、本発明では、一の細胞について三次元画像を自動的に構築した後、得られた三次元画像を後日別の場所で画像解析することが可能である。また、三次元画像を保存しておくことにより、再検査も容易である。
【００４４】
最後に、工程（ｇ）として、工程（ｂ）の抗原抗体反応の結果と、工程（ｆ）のＦＩＳＨの結果から、前記細胞試料に含まれている細胞が、遺伝子異常細胞であるか否かを判別する。すなわち、抗原抗体反応の結果、遺伝子異常細胞である可能性があると判断された細胞に対して、優先的にＦＩＳＨの結果を解析することにより、当該細胞が遺伝子異常細胞であるか否かを判別する。
【００４５】
例えば、細胞試料が血液や単核球成分であり、解析対象の遺伝子異常細胞がＣＴＣである場合、ＣＤ４５等の白血球細胞の細胞表面に特異的に存在している分子（細胞表面抗原）と特異的に結合する抗体を用いて工程（ｂ）における抗原抗体反応を行い、Ｈｅｒ−２遺伝子の遺伝子増幅において観察される増幅部位と特異的に結合する核酸プローブとＣＥＰ１７遺伝子のＤＮＡと特異的に結合する核酸プローブとを併用して工程（ｆ）におけるＦＩＳＨを行った場合、工程（ｂ）における抗原抗体反応において、抗体が結合されなかった細胞のうち、Ｈｅｒ−２／ＣＥＰ１７比が所定の値以上であった細胞が、遺伝子異常細胞であると判断することができる。
【００４６】
工程（ｄ）の浸透化処理後、工程（ｇ）の前に、真核細胞の細胞内部に存在する分子と特異的に結合する１種類又は２種類以上の抗体を用いて免疫染色を行うこともできる。例えば、本発明においてクロスリンク処理を行う場合には、浸透化処理後に細胞内の分子に対する免疫染色を行い、その後にクロスリンク処理を行うこともできる。免疫染色は、工程（ｂ）における抗原抗体反応と同様、常法により行うことができる。抗原となる細胞内分子としては、遺伝子異常細胞内に存在する分子であってもよく、非遺伝子異常細胞内に存在する分子であってもよい。また、この際に用いられる抗体としては、遺伝子異常が起こっている細胞と正常細胞との識別に資する抗体であってもよく、遺伝子異常細胞であると判明した細胞に対してさらに解析するために用いられる抗体であってもよい。
【００４７】
本発明においては、工程（ｄ）の浸透化処理後、工程（ｇ）の前に、さらに、細胞核を染色してもよい。細胞核を染色することにより、画像解析法において個々の細胞の認識をより容易に行うことができる。なお、細胞核の染色は、ＤＡＰＩ（４’，６−ｄｉａｍｉｎｏ−２−ｐｈｅｎｙｌｉｎｄｏｌｅ）、ＰＩ（ｐｒｏｐｉｄｉｕｍ  ｉｏｄｉｄｅ）、Ｈｏｅｃｈｓｔ等の汎用されている核染色剤を適宜用いて、常法により行うことができる。
【００４８】
例えば、細胞試料が血液や単核球成分あり、解析対象の遺伝子異常細胞がＣＴＣである場合、ＣＤ４５等の白血球に主に存在している分子に対する抗体や、ＥｐＣＡＭ等の上皮系細胞の細胞表面に主に存在している分子に対する抗体や、Ｃｙｔｏｋｅｒａｔｉｎ等の上皮系細胞の細胞内部主に存在している分子に対する抗体等を用いることにより、工程（ｂ）における細胞膜表面の抗原抗体反応とともに、血球細胞と、ＣＴＣを含む上皮系細胞とをより明確に識別することができる。また、ＨＥＲ−２と特異的に結合する抗体を用いて抗原抗体反応を行うことにより、ＨＥＲ−２タンパク質が過剰発現している遺伝子異常細胞をより明確に検出することができる。本発明においては、Ｃｙｔｏｋｅｒａｔｉｎ、ＣＤ４５、ＨＥＲ−２、ＥｐＣＡＭ、及びＦＧＦＲ（線維芽細胞成長因子受容体）からなる群より選択される１種以上のタンパク質と特異的に結合する抗体を用いて抗原抗体反応を行うことが好ましい。
【００４９】
本発明の遺伝子異常細胞の解析方法により、遺伝子異常細胞を高感度かつ効率よく検出し解析することができる。ここで、遺伝子異常細胞の解析は、遺伝子異常細胞か否かの判断や、遺伝子異常の程度の判断のみには限定されず、免疫染色法やＦＩＳＨを用いた様々な解析を行うことができる。例えば、近年の蛍光画像解析技術の進歩に伴い、抗体の標識に蛍光特性の異なる蛍光物質等をそれぞれ用いることにより、複数の抗原に対する免疫染色を同一の細胞に対して行うことができる。そこで、本発明の遺伝子異常細胞の解析方法において、遺伝子異常細胞が含まれる細胞群か、遺伝子異常細胞が含まれない細胞群かを区別する免疫染色に加えて、特定の分子標的治療薬の標的抗原に対する免疫染色を行うことにより、遺伝子異常細胞における当該標的抗原の発現解析等を行うこともできる。
【実施例】
【００５０】
次に実施例を示して本発明をさらに詳細に説明するが、本発明は以下の実施例に限定されるものではない。
【００５１】
［実施例１］
血液中の細胞に対して、ＣＤ４５に対する免疫染色と、Ｈｅｒ−２  ＦＩＳＨプローブ（Ｈｅｒ−２遺伝子と特異的に結合する核酸プローブ）及びＣＥＰ１７  ＦＩＳＨプローブ（ＣＥＰ１７と特異的に結合する核酸プローブ）を用いたＦＩＳＨを行った。
＜細胞試料の調製＞
胃癌患者由来の血液（ＢＤ  Ｖａｃｕｔａｉｎｅｒ  ＣＰＴ単核球分離採血管、製品コード：♯３６２７５３、ベクトン・ディッキンソン社製）８ｍＬに対して、２５００ｒｐｍで３０分間、比重遠心分離処理を行い、血漿画分と単核球層と赤血球層とに分離した後、血漿画分を除去して単核球層を回収した。回収された単核球層にＥＤＴＡ含有ＰＢＳを加えて１５ｍＬとした後、２０００ｒｐｍで１０分間の遠心分離処理を行った後、沈殿した細胞をドルフィンチューブに移し、さらに２５００ｒｐｍで３分間の遠心分離処理（ｓｗｉｎｇ  ａｒｍ、Ｅｐｐｅｎｄｏｒｆ社製）を行った。上清を除去した後、沈殿した細胞にＭＡＣＳ（登録商標）  ｂｕｆｆｅｒ（ミルテニーバイオテク社製）を添加して６０μＬの細胞懸濁液とした。
調製された細胞懸濁液に、２０μＬのＣＤ４５  マイクロビーズ（ＣＤ４５−ＭＢ、ミルテニーバイオテク社製）と２０μＬのＣＤ６１  マイクロビーズ（ＣＤ６１−ＭＢ、ミルテニーバイオテク社製）とを添加し、４℃で１５分間インキュベートした。当該細胞懸濁液中の非結合性のマイクロビーズを１ｍＬのＭＡＣＳ（登録商標）  ｂｕｆｆｅｒを用いて洗浄した後、マイクロビーズで標識された細胞を５００μＬのＭＡＣＳ（登録商標）  ｂｕｆｆｅｒに懸濁させた。その後、当該懸濁液の入っているドルフィンチューブをＡｕｔｏＭＡＣＳ（登録商標、ミルテニーバイオテク社製）に装着し、“Ｄｅｐｌｅｔｅｓ”プログラムを実施し、Ｎ１フラクション（ＣＤ４５−ＭＢとＣＤ６１−ＭＢのいずれとも結合していない細胞群）をドルフィンチューブ２本に回収した。この２本のドルフィンチューブに対して２０００ｒｐｍで１０分間の遠心分離処理を行った後、沈殿の細胞を１本のチューブにまとめ、再度２０００ｒｐｍで１０分間の遠心分離処理を行い、上清を除去したものを細胞試料とした。
【００５２】
＜細胞表面抗原に対する免疫染色及び界面活性剤処理＞
調製された細胞試料に、５０μＬのＣＤ４５−ｂｉｏｔｉｎ希釈液を添加し、室温で１０分間インキュベートした。ＣＤ４５−ｂｉｏｔｉｎ希釈液は、ＣＤ４５−ｂｉｏｔｉｎ（ベクトン・ディッキンソン社製）をＭＡＣＳ（登録商標）  ｂｕｆｆｅｒを用いて１０分の１に希釈した溶液である。その後、１．５ｍＬのＭＡＣＳ（登録商標）  ｂｕｆｆｅｒで細胞を洗浄した後、当該細胞に５０μＬのＳｔｒｅｐｔａｖｉｄｉｎ−Ｑｄｏｔ（登録商標）６０５（ＳＡ−Ｑ６０５）希釈液を添加して室温で１５分間インキュベートした。その後、１．５ｍＬのＭＡＣＳ（登録商標）  ｂｕｆｆｅｒで細胞を洗浄した。
【００５３】
＜クロスリンク処理＞
次いで、細胞懸濁液に５μＬの５０ｍＭ  ＢＳ３溶液を添加してただちにピペッティングした後、室温で１５分間インキュベートした。その後さらに１μＬの１Ｍ  トリスバッファーを添加して、室温で１０分間インキュベートした。その後、１．５ｍＬのＥＤＴＡ含有ＰＢＳで２回細胞を洗浄した
【００５４】
＜固定化処理＞
洗浄後の細胞を、５０μＬのＩＳ−Ａ（Ｄａｋｏ  Ｉｎｓｔｒｕｃｔｉｏｎ  ＲｅａｇｅｎｔＡ（ホルマリン含有固定液）、Ｄａｋｏ社製）に懸濁させて室温で１５分間インキュベートした。その後、当該細胞を、１．５ｍＬのＭＡＣＳ（登録商標）  ｂｕｆｆｅｒで洗浄した。
【００５５】
＜細胞内抗原に対する免疫染色及び界面活性剤処理＞
洗浄後の細胞懸濁液に、Ｃｙｔｏｋｅｒａｔｉｎ−ＡＦ６４７希釈液を添加して室温で１５分間インキュベートした。Ｃｙｔｏｋｅｒａｔｉｎ−ＡＦ６４７希釈液は、Ｃｙｔｏｋｅｒａｔｉｎ−Ａｌｅｘａ６４７（Ａｂｃａｍ社製、クローンＡＥ１／ＡＥ３にＡｌｅｘａ ｆｌｕｏｒ ６４７を共有結合させた抗体、２８０μｇ／ｍＬ）をＩＳ−Ｂを用いて２５分の１に希釈した溶液である。染色後の細胞を、１．５ｍＬのＭＡＣＳ（登録商標）  ｂｕｆｆｅｒで洗浄した後、さらに１ｍＬのＰＢＳで洗浄した。その後、当該細胞を５０μＬの塩化カリウム溶液（０．０７５Ｍ）に懸濁させ、室温で１５分間インキュベートした後、遠心分離処理により、２０μＬの塩化カリウム溶液を残して上清を除去した。得られた細胞懸濁液を、５枚のＭＡＳコートスライド（松浪硝子社製）に、１スライド当たり１スポット滴下し、風乾させた。
【００５６】
＜タンパク質分解酵素処理＞
細胞を載せたＭＡＳスライドに、ペプシン溶液を添加した後、室温で２分間インキュベートした。当該スライドからペプシン溶液を除去し、ＰＢＳを添加して室温で３分間インキュベートした後、風乾させた。なお、ペプシン溶液は、ペプシン（ＳＩＧＭＡ社製）を１０ｍＭ塩酸溶液で希釈して１００μｇ／ｍＬに調整したものである。
【００５７】
＜エタノール処理＞  
タンパク質分解酵素処理後のＭＡＳスライドを、７０％エタノール溶液に１分間浸漬させた後、８５％エタノール溶液に１分間浸漬させ、さらに１００％エタノール溶液に１分間浸漬させた後、風乾させた。その後さらに、４５℃のブロックヒータ上で、ドライヤーに５分間当てて乾燥させた。
【００５８】
＜ＦＩＳＨ＞  
乾燥後のＭＡＳスライドに、１スポット当たり２μＬのＨｅｒ−２  ＦＩＳＨプローブ（Ｈｅｒ−２−ＳｐｅｃｒｔｒｕｍＯｒａｎｇｅ、Ｖｙｓｉｓ社製）及びＣＥＰ１７  ＦＩＳＨプローブ（ＣＥＰ１７−ＳｐｅｃｔｒｕｍＧｒｅｅｎ、Ｖｙｓｉｓ社製）の原液を添加し、さらにカバーガラスを載せ、ペーパーボンドでシールした。このＭＡＳスライドを８５℃で３分間、その後３７℃で１８時間インキュベートした。終了後、ボンドをはがして、ＭＡＳスライドをハイブリダイゼーション後洗浄液（２×ＳＳＣ、０．３％  ＮＰ４０）に浸漬させて７５℃で５分間インキュベーションした。当該ＭＡＳスライドを、２×ＳＳＣでリンスした後、余分な水分を取り除いた。
【００５９】
＜核染色＞  
ＭＡＳスライドに、１スポット当たり２μＬのＤＡＰＩ溶液を添加した後、トップコートでシールした。
【００６０】
＜蛍光シグナルの測定＞
シール後のＭＡＳスライドのスポット中の蛍光シグナルを、共焦点レーザ走査型顕微鏡ＦＶ−１０００（オリンパス社製）を使用して測定し、三次元画像を構築した。図１及び２に、Ｃｙｔｏｋｅｒａｔｉｎ陽性細胞を含む一視野について再構築された三次元画像より作成した二次元画像を、それぞれ示す。図１及び２中、（Ａ）は核（ＤＡＰＩ）染色画像であり、（Ｂ）はＣＥＰ１７  ＦＩＳＨプローブのシグナル画像であり、（Ｃ）はＨｅｒ−２  ＦＩＳＨプローブのシグナル画像であり、（Ｄ）はＣｙｔｏｋｅｒａｔｉｎ−Ａｌｅｘａ６４７の染色画像であり、（Ｅ）は（Ａ）〜（Ｄ）を重ね合わせた画像である。
【００６１】
この結果、図１中のＣｙｔｏｋｅｒａｔｉｎ陽性細胞（図１（Ｅ）中の点線で囲まれた細胞）では、ＣＥＰ１７のシグナル数と、Ｈｅｒ−２のシグナル数とは等しく、当該Ｃｙｔｏｋｅｒａｔｉｎ陽性細胞のＨｅｒ−２遺伝子は正常であることが判定できた。一方で、図２中のＣｙｔｏｋｅｒａｔｉｎ陽性細胞（Ｃｙｔｏｋｅｒａｔｉｎ−Ａｌｅｘａ６４７により染色された細胞）のうち、右上の細胞（図２（Ｅ）中の点線で囲まれた細胞）では、ＣＥＰ１７シグナル（図２（Ｅ）中の白抜きの矢頭で示されたシグナル）の総数が４であるのに対して、Ｈｅｒ−２シグナル（図２（Ｅ）中の塗り潰された矢頭で示されたシグナル）の総数は８であり、Ｈｅｒ−２／ＣＥＰ１７比が２であった。つまり、図２（Ｅ）中の点線で囲まれた細胞は、Ｈｅｒ−２遺伝子が増幅されている遺伝子異常細胞であることが確認できた。これらの結果から、本発明の遺伝子異常細胞の解析方法により、癌患者由来の血液中に含まれているＣｙｔｏｋｅｒａｔｉｎ陽性細胞のうちの一部では、Ｈｅｒ−２遺伝子が増幅されていることが解析できること、すなわち、本発明の遺伝子異常細胞の解析方法により、癌患者由来の血液中のＣＴＣを解析し得ることが明らかである。
【００６２】
図３には、本実施例により蛍光シグナルが観察されたある細胞について再構築された三次元画像より作成した二次元画像を示す。図３（Ａ）及び（Ｂ）は、視点のわずかに異なる二次元画像である。また、図３（Ａ）及び（Ｂ）は、核（ＤＡＰＩ）染色画像、Ｈｅｒ−２  ＦＩＳＨプローブのシグナル画像を重ね合わせた画像であり、Ｈｅｒ−２  ＦＩＳＨプローブのシグナルを矢印で示す。図３（Ａ）及び（Ｂ）中の点線で囲まれた細胞のＨｅｒ−２  ＦＩＳＨプローブのシグナルは、図３（Ａ）の二次元画像では１つのシグナルとして検出されたが、図３（Ｂ）の二次元画像では２つの別個のシグナルとして検出された。このように、本発明の遺伝子異常細胞の解析方法では、特定の二次元画像においては、Ｚ軸方向に重なっているために１のシグナルとして検出されてしまう複数のシグナルを、再構築された三次元画像を少し回転させることにより、容易に個別に分離して検出することができる。
【００６３】
［実施例２］
本発明の遺伝子異常細胞の解析方法により、内視鏡生検細胞に対して、ＣＤ４５に対する免疫染色と、Ｈｅｒ−２  ＦＩＳＨプローブ及びＣＥＰ１７  ＦＩＳＨプローブを用いたＦＩＳＨを行った。
＜細胞試料の調製＞
胃癌患者から採取された内視鏡生検(約１ｍｇ)を、０．２５ｍＬのＤＭＥＭ培地に懸濁させた後、コラゲナーゼ及びディスパーゼを添加し、３７℃６０分間酵素処理を行った。その後、当該懸濁液に対して、２０００ｒｐｍで１０分間の遠心分離処理を行った後、沈殿した細胞（単核球）をドルフィンチューブに移し、さらに２５００ｒｐｍで３分間の遠心分離処理（ｓｗｉｎｇ  ａｒｍ、Ｅｐｐｅｎｄｏｒｆ社製）を行った。上清を除去した後、沈殿した細胞にＭＡＣＳ（登録商標）  ｂｕｆｆｅｒ（ミルテニーバイオテク社製）を添加して６０μＬの細胞懸濁液とした。
実施例１と同様にして、調製された細胞懸濁液から、ＣＤ４５  マイクロビーズ及びＣＤ２３５a  マイクロビーズを用いて血球成分を磁気分離により除去することにより、細胞試料を調製した。
【００６４】
調製された細胞試料に対して、実施例１と同様にして、順次、細胞表面抗原に対する免疫染色及び界面活性剤処理、クロスリンク処理、固定化処理、Ｃｙｔｏｋｅｒａｔｉｎ−ＡＦ６４７を用いた免疫染色及び界面活性剤処理、タンパク質分解酵素処理、エタノール処理、ＦＩＳＨ、及び核染色を行った後、染色された細胞の蛍光シグナルを測定し、三次元画像を構築した。図４に、Ｃｙｔｏｋｅｒａｔｉｎ陽性細胞を含む一視野について再構築された三次元画像より作成した二次元画像を示す。図４中、（Ａ）は核（ＤＡＰＩ）染色画像であり、（Ｂ）はＣＥＰ１７  ＦＩＳＨプローブのシグナル画像であり、（Ｃ）はＨｅｒ−２  ＦＩＳＨプローブのシグナル画像であり、（Ｄ）はＣｙｔｏｋｅｒａｔｉｎ−Ａｌｅｘａ６４７の染色画像であり、（Ｅ）は（Ａ）〜（Ｄ）を重ね合わせた画像である。この結果、図４中のＣｙｔｏｋｅｒａｔｉｎ陽性細胞では、ＣＥＰ１７のシグナル数と、Ｈｅｒ−２のシグナル数とはほぼ等しく、当該Ｃｙｔｏｋｅｒａｔｉｎ陽性細胞のＨｅｒ−２遺伝子は正常であることが判定できた。
【００６５】
［実施例３］
本発明の遺伝子異常細胞の解析方法により、末梢血に腫瘍細胞株を添加したものを細胞試料とし、当該細胞試料中のＨｅｒ−２遺伝子増幅細胞を解析した。腫瘍細胞株として、乳癌由来の培養細胞株であるＳＫＢｒ３細胞を用いた。なお、ＳＫＢｒ３細胞は、常法により培養されたものを用いた。
＜細胞試料の調製＞
まず、健常者から採取された７．５ｍＬの末梢血に、５，０００個のＳＫＢｒ３細胞を添加した。実施例１と同様にして、この末梢血から単核球層を回収し、さらに洗浄した後、ＭＡＣＳ（登録商標）  ｂｕｆｆｅｒを添加して６０μＬの細胞懸濁液を調製した。
調製された細胞懸濁液に、２０μＬのＣＤ４５  マイクロビーズ（ＣＤ４５−ＭＢ、ミルテニーバイオテク社製）と２０μＬのＣＤ２３５ａ  マイクロビーズ（ＣＤ２３５ａ−ＭＢ、ミルテニーバイオテク社製）とを添加し、４℃で１５分間インキュベートした。当該細胞懸濁液中の非結合性のマイクロビーズを１ｍＬのＭＡＣＳ（登録商標）  ｂｕｆｆｅｒを用いて洗浄した後、マイクロビーズで標識された細胞を５００μＬのＭＡＣＳ（登録商標）  ｂｕｆｆｅｒに懸濁させた。その後、当該懸濁液が入っているドルフィンチューブをＡｕｔｏＭＡＣＳ（登録商標、ミルテニーバイオテク社製）“Ｄｅｐｌｅｔｅｓ”に装着し、“Ｄｅｐｌｅｔｅｓ”プログラムを実施し、Ｎ１フラクション（ＣＤ４５−ＭＢとＣＤ２３５ａ−ＭＢのいずれとも結合していない細胞群）をドルフィンチューブ２本に回収した。この２本のドルフィンチューブに対して２０００ｒｐｍで１０分間の遠心分離処理を行った後、沈殿の細胞を１本のチューブにまとめ、再度２０００ｒｐｍで１０分間の遠心分離処理を行い、上清を除去したものを細胞試料とした。
【００６６】
＜細胞表面抗原に対する免疫染色＞
調製された細胞試料に、５０μＬの実施例１で用いたＣＤ４５−ｂｉｏｔｉｎ希釈液を添加し、室温で１０分間インキュベートした。１．５ｍＬのＭＡＣＳ（登録商標）  ｂｕｆｆｅｒで細胞を洗浄した後、当該細胞に５０μＬのＳｔｒｅｐｔａｖｉｄｉｎ−Ｑｄｏｔ（登録商標）６０５（ＳＡ−Ｑ６０５）希釈液を添加して室温で１５分間インキュベートした。なお、ＳＡ−Ｑ６０５希釈液は、ＳＡ−Ｑ６０５（Ｉｎｖｉｔｒｏｇｅｎ社製）をＭＡＣＳ（登録商標）  ｂｕｆｆｅｒを用いて１００分の１に希釈した溶液である。その後、１．５ｍＬのＥＤＴＡ含有ＰＢＳで２回細胞を洗浄した。
【００６７】
＜固定化処理＞
浸透化処理後の細胞を、５０μＬのＩＳ−Ａ（Ｄａｋｏ  Ｉｎｓｔｒｕｃｔｉｏｎ  ＲｅａｇｅｎｔＡ（ホルマリン含有固定液）、Ｄａｋｏ社製）に懸濁させて室温で１５分間インキュベートした。その後、当該細胞を、１．５ｍＬのＭＡＣＳ（登録商標）  ｂｕｆｆｅｒで洗浄した。
【００６８】
＜細胞内抗原に対する免疫染色＞
洗浄後の細胞懸濁液に、実施例１で用いたＣｙｔｏｋｅｒａｔｉｎ−ＡＦ６４７希釈液を添加して室温で１５分間インキュベートした。染色後の細胞を１．５ｍＬのＭＡＣＳ（登録商標）  ｂｕｆｆｅｒで洗浄した後、さらに１ｍＬのＰＢＳで洗浄した。その後、当該細胞を５０μＬの塩化カリウム溶液（０．０７５Ｍ）に懸濁させ、室温で１５分間インキュベートした後、遠心分離処理により、２０μＬの塩化カリウム溶液を残して上清を除去した。得られた細胞懸濁液を、５枚のＭＡＳコートスライド（松浪硝子社製）に、１スライド当たり１スポット滴下し、風乾させた。
【００６９】
＜タンパク質分解酵素処理＞
細胞を載せたＭＡＳスライドに、実施例１で用いたペプシン溶液を添加した後、室温で２分間インキュベートした。当該スライドからペプシン溶液を除去し、ＰＢＳを添加して室温で３分間インキュベートした後、風乾させた。
【００７０】
＜エタノール処理＞  
タンパク質分解酵素処理後のＭＡＳスライドを、７０％エタノール溶液に１分間浸漬させた後、８５％エタノール溶液に１分間浸漬させ、さらに１００％エタノール溶液に１分間浸漬させた後、風乾させた。その後さらに、４５℃のブロックヒータ上で、ドライヤーに５分間当てて乾燥させた。
【００７１】
＜ＦＩＳＨ及び核染色＞  
乾燥後のＭＡＳスライドに対して、実施例１と同様にしてＦＩＳＨを行った後、ＤＡＰＩ溶液を添加し、トップコートでシールした。
【００７２】
＜蛍光シグナルの測定＞
シール後のＭＡＳスライドのスポット中の蛍光シグナルを、共焦点レーザ走査型顕微鏡ＦＶ−１０００（オリンパス社製）を使用して測定し、三次元画像を構築した。図５に、Ｃｙｔｏｋｅｒａｔｉｎ陽性細胞を含む一視野について再構築された三次元画像より作成した二次元画像を示す。図５中、（Ａ）は核（ＤＡＰＩ）染色画像であり、（Ｂ）はＣＤ４５−ｂｉｏｔｉｎ／Ｓｔｒｅｐｔａｖｉｄｉｎ−Ｑｄｏｔの染色画像であり、（Ｃ）はＣｙｔｏｋｅｒａｔｉｎ−Ａｌｅｘａ６４７の染色画像であり、（Ｄ）はＣＥＰ１７  ＦＩＳＨプローブのシグナル画像であり、（Ｅ）はＨｅｒ−２  ＦＩＳＨプローブのシグナル画像であり、（Ｆ）は（Ａ）〜（Ｅ）を重ね合わせた画像である。
【００７３】
この結果、図５（Ｂ）及び（Ｃ）からも明らかであるように、細胞試料に含まれている細胞全体に占めるＣｙｔｏｋｅｒａｔｉｎ陽性細胞の割合が非常に高く、ＣＤ４５  マイクロビーズ及びＣＤ２３５ａ  マイクロビーズを用いた磁気分離処理により、Ｃｙｔｏｋｅｒａｔｉｎ陽性細胞が効率よく濃縮されていた。また、図５中のＣｙｔｏｋｅｒａｔｉｎ陽性／ＣＤ４５陰性細胞では、ＣＥＰ１７のシグナル数と、Ｈｅｒ−２のシグナル数の比が平均で３．５であり、当該Ｃｙｔｏｋｅｒａｔｉｎ陽性細胞のＨｅｒ−２遺伝子は増幅していることが判定できた。
【００７４】
［参考例１］
実施例１と同様にして、血液中のＣＴＣを解析するための細胞試料を調製し、免疫染色により、当該細胞試料中に含まれている上皮系細胞を検出した。
まず、実施例１と同様にして、胃癌患者由来の血液（ＢＤ  Ｖａｃｕｔａｉｎｅｒ  ＣＰＴ単核球分離採血管、製品コード：♯３６２７５３、ベクトン・ディッキンソン社製）８ｍＬから単核球層を回収し、さらに洗浄した後、ＭＡＣＳ（登録商標）  ｂｕｆｆｅｒを添加して６０μＬの細胞懸濁液を調製した。
実施例１と同様にして、調製された細胞懸濁液から、ＣＤ４５  マイクロビーズ及びＣＤ６１  マイクロビーズを用いて白血球成分を磁気分離により除去することにより、細胞試料を調製した。
【００７５】
次いで、調製された細胞試料に、２５μＬのＥｐＣＡＭ−Ａｌｅｘａ Ｆｌｕｏｒ４８８希釈液と２５μＬのＣＤ４５−ｂｉｏｔｉｎ希釈液を添加し、室温で１０分間インキュベートした。ＥｐＣＡＭ−Ａｌｅｘａ Ｆｌｕｏｒ４８８希釈液は、ＥｐＣＡＭ−Ａｌｅｘａ Ｆｌｕｏｒ４８８（ＢｉｏＬｅｇｅｎｄ社製）をＭＡＣＳ（登録商標）  ｂｕｆｆｅｒを用いて２０分の１に希釈した溶液である。ＣＤ４５−ｂｉｏｔｉｎ希釈液は、ＣＤ４５−ｂｉｏｔｉｎ（ベクトン・ディッキンソン社製）をＭＡＣＳ（登録商標）  ｂｕｆｆｅｒを用いて５分の１に希釈した溶液である。その後、１．５ｍＬのＭＡＣＳ（登録商標）  ｂｕｆｆｅｒで細胞を洗浄した後、当該細胞に５０μＬのＳｔｒｅｐｔａｖｉｄｉｎ−Ｑｄｏｔ（登録商標）６０５（ＳＡ−Ｑ６０５）希釈液を添加して室温で１５分間インキュベートした。その後、１．５ｍＬのＭＡＣＳ（登録商標）  ｂｕｆｆｅｒで細胞を洗浄した。
【００７６】
浸透化処理後の細胞に対して、実施例３と同様にして、順次、固定化処理、Ｃｙｔｏｋｅｒａｔｉｎ−ＡＦ６４７を用いた免疫染色、タンパク質分解酵素処理、及びエタノール処理を行った。その後、核染色を行うために、乾燥後のＭＡＳスライドに対して、１スポット当たり２μＬのＤＡＰＩ溶液を添加した後、トップコートでシールした。
【００７７】
シール後のＭＡＳスライドのスポット中の蛍光シグナルを、共焦点レーザ走査型顕微鏡ＦＶ−１０００（オリンパス社製）を使用して測定した。図６に、Ｃｙｔｏｋｅｒａｔｉｎ陽性細胞を含む一視野の再構築された三次元画像より作成した二次元画像を示す。図６中、（Ａ）は核（ＤＡＰＩ）染色画像であり、（Ｂ）はＣＤ４５−ｂｉｏｔｉｎ／Ｓｔｒｅｐｔａｖｉｄｉｎ−Ｑｄｏｔの染色画像であり、（Ｃ）はＥｐＣＡＭ−Ａｌｅｘａ  Ｆｌｕｏｒ４８８の染色画像であり、（Ｄ）はＣｙｔｏｋｅｒａｔｉｎ−Ａｌｅｘａ６４７の染色画像であり、（Ｅ）は（Ａ）〜（Ｄ）を重ね合わせた画像である。
【００７８】
図６（Ｃ）及び図６（Ｄ）から明らかであるように、Ｃｙｔｏｋｅｒａｔｉｎ陽性細胞ごとにＥｐＣＡＭ抗原の発現は著しく異なっており、ＥｐＣＡＭ陽性細胞とＥｐＣＡＭ陰性細胞の両方が含まれている。例えば、図６（Ｅ）中、破線で囲まれた領域中の細胞は、Ｃｙｔｏｋｅｒａｔｉｎ陽性であり、かつＥｐＣＡＭ陽性である。一方で、実線で囲まれたＣｙｔｏｋｅｒａｔｉｎ陽性であるが、ＥｐＣＡＭはほとんど発現していない。このため、非特許文献１に記載されている方法のように、血液から回収された単核球層からＥｐＣＡＭ陽性細胞を選択的に回収した場合には、ＥｐＣＡＭ陰性のＣＴＣが解析対象から除かれてしまい、血液検体中のＣＴＣを正確に検出することが困難である。よって、本発明の遺伝子異常細胞の解析方法では、血液検体中のＣＴＣを解析する場合に細胞試料中のＣＴＣ存在比率を高めるためには、血液から回収された単核球層から、上皮系細胞の細胞表面抗原を利用して上皮系細胞を選択的に回収するのではなく、血球細胞の細胞表面抗原を利用して血球細胞を分離除去することが好ましい。
【産業上の利用可能性】
【００７９】
本発明の遺伝子異常細胞の解析方法により、正常な細胞群の中に極微量にしか存在していない遺伝子異常細胞を、高精度かつ簡便に検出し解析することができるため、末梢循環腫瘍細胞の解析等の臨床検査等の分野において好適に利用される。
【図１】
0005916991.tif 000002
【図２】
0005916991.tif 000003
【図３】
0005916991.tif 000004
【図４】
0005916991.tif 000005
【図５】
0005916991.tif 000006
【図６】
0005916991.tif 000007